(57)【要約】【課題】遊技球の動きに面白みが増す上に、遊技領域の有効利用が図れる弾球遊技機の遊技球通路構造を提供する。【解決手段】軸周り方向に回転自在で、回転軸方向に交差する一端面が遊技機正面側に向けられた装飾回転体２３，２４を遊技領域に備え、遊技領域に設けられた通路入口３１ａに到達した遊技球を装飾回転体２３，２４の回転に伴って通路出口３１ｂ側に向かって移動させる弾球遊技機の遊技球通路構造において、遊技球通路３１を、遊技領域の延出面に交差する方向（遊技機奥行き方向）と、遊技領域の延出面に沿う方向（遊技機上下、左右方向）との２種類の通路部４１，４３；４２，４４を組み合わせて通路入口３１ａ及び出口３１ｂ相互間を連結した。遊技球に、３次元空間における動き回りをさせながら、通路入口３１ａから出口３１ｂに向かって移動する構成とした。【選択図】図４
2008237541.tif 000002
【特許請求の範囲】
【請求項１】
各々軸周り方向に回転自在で、回転軸方向に交差する一端面が遊技機正面側に向けられた複数の回転体を遊技領域に備え、該遊技領域に設けられた通路入口に到達した遊技球を前記回転体の回転に伴って通路出口側に移動させる弾球遊技機の遊技球通路構造において、
前記遊技領域の延出面に、交差する方向及び沿う方向の移動を含んで、遊技球を前記通路入口から通路出口側に向かって移動させる遊技球通路を具備することを特徴とする弾球遊技機の遊技球通路構造。
【請求項２】
前記遊技領域の延出面に交差する方向の移動は、遊技機奥側から手前側への移動であることを特徴とする請求項１に記載の弾球遊技機の遊技球通路構造。
【請求項３】
回転振分け体の手前の遊技球入口に進入した遊技球を、その入口進入時の前記回転振分け体の回転駆動状態に応じて、特定の領域を通過させて賞球を獲得させ得る当り経路、又は前記特定の領域を通過させることのない外れ経路のうちのいずれかに振分け導入させる遊技球振分け機構が遊技球通路の終段部を構成し、前記複数の回転体のうちの前記遊技球振分け機構側の回転体における遊技球出口が前記遊技球入口に通じていることを特徴とする請求項１又は２に記載の弾球遊技機の遊技球通路構造。
【請求項４】
前記複数の回転体及び回転振分け体は、前記遊技領域のほぼ中央に位置する特定遊技領域構成部品の周囲に配置され、遊技球の入賞を容易にし得ると共に遊技を演出するセンタ役物の一部を構成することを特徴とする請求項３に記載の弾球遊技機の遊技球通路構造。
【発明の詳細な説明】
【技術分野】
【０００１】
本発明は、各々軸周り方向に回転自在で、回転軸方向に交差する一端面が遊技機正面側に向けられた複数の回転体を遊技領域に備え、その遊技領域に設けられた通路入口に到達した遊技球を上記回転体の回転に伴って通路出口側に移動させる弾球遊技機の遊技球通路構造に関するものである。
【背景技術】
【０００２】
従来、この種の技術としては特許文献１に記載のものがあった。
これは、遊技球の保持部を有する回転体を２つ並べて配置し、遊技球を一方の回転体から他方の回転体へと受け渡す、というものである。
【０００３】
【特許文献１】特開平４−１４６７８１号公報
【発明の開示】
【発明が解決しようとする課題】
【０００４】
上記従来技術では、２つの回転体は回転軸方向に直交する一端面が遊技機正面側を向いているので、一方の回転体から他方の回転体への遊技球の受け渡しが遊技者から見ることができて楽しむことができるという利点がある。しかし、２つの回転体は同一平面上に配置されており、遊技球の動きは遊技盤面に対して平面的であって単調であり、また、盤面（遊技領域）の有効利用の点でも改善の余地があった。
【０００５】
本発明の課題は、遊技球の動きが単調になることを避け得、面白みを増すことができると共に、遊技領域を有効に利用できる弾球遊技機の遊技球通路構造を提供することにある。
【課題を解決するための手段】
【０００６】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、（４）項が請求項４に、各々対応する。なお、各手段においては、必要に応じてその作用等についても述べる。
【０００７】
（１）各々軸周り方向に回転自在で、回転軸方向に交差する一端面が遊技機正面側に向けられた複数の回転体を遊技領域に備え、該遊技領域に設けられた通路入口に到達した遊技球を前記回転体の回転に伴って通路出口側に移動させる弾球遊技機の遊技球通路構造において、前記遊技領域の延出面に、交差する方向及び沿う方向の移動を含んで、遊技球を前記通路入口から通路出口側に向かって移動させる遊技球通路を具備することを特徴とする弾球遊技機の遊技球通路構造。
遊技領域の延出面に交差する方向とは、遊技機奥行き方向、換言すれば遊技者から見て遠近方向を指す。また、遊技領域の延出面に沿う方向とは、遊技領域の上下及び／又は左右方向を指す。なお、遊技領域は遊技盤の盤面に形成されており、したがって遊技領域の延出面に、交差する方向及び沿う方向と、遊技盤の盤面に、交差する方向及び沿う方向とはほぼ同様である。
（２）前記遊技領域の延出面に交差する方向の移動は、遊技機奥側から手前側への移動であることを特徴とする（１）項に記載の弾球遊技機の遊技球通路構造。
遊技機奥側とは遊技者とは反対側を指し、また手前側とは遊技者側を指す。
（３）回転振分け体の手前の遊技球入口に進入した遊技球を、その入口進入時の前記回転振分け体の回転駆動状態に応じて、特定の領域を通過させて賞球を獲得させ得る当り経路、又は前記特定の領域を通過させることのない外れ経路のうちのいずれかに振分け導入させる遊技球振分け機構が遊技球通路の終段部を構成し、前記複数の回転体のうちの前記遊技球振分け機構側の回転体における遊技球出口が前記遊技球入口に通じていることを特徴とする（１）項又は（２）項に記載の弾球遊技機の遊技球通路構造。
（４）前記複数の回転体及び回転振分け体は、前記遊技領域のほぼ中央に位置する特定遊技領域構成部品の周囲に配置され、遊技球の入賞を容易にし得ると共に遊技を演出するセンタ役物の一部を構成することを特徴とする（３）項に記載の弾球遊技機の遊技球通路構造。
【発明の効果】
【０００８】
（１）項に記載の発明によれば、遊技球が３次元空間で動き回るので、遊技球の動きが単調になることを避け得、面白みを増すことができると共に、遊技領域を有効に利用できる。
（２）項に記載の発明によれば、（１）項に記載の発明において、遊技機奥側から手前側に順次近づいてくる（遊技者に対して迫りくる）遊技球移動・回転体回転演出が行える。
（３）項に記載の発明によれば、（１）項又は（２）項に記載の発明において、遊技球は、遊技者が最も高い関心を示すＶゾーンに至る当り経路に進入し得る回転振分け体まで変化の富んだ動きをし、遊技の興趣を一層高めることができる。
（４）項に記載の発明によれば、（３）項に記載の発明において、複数の回転体及び回転振分け体の遊技盤への組込みが容易になるという効果を付加できる。
【発明を実施するための最良の形態】
【０００９】
以下、本発明の実施の形態を図面に基づき説明する。なお、各図間において、同一符号は同一又は相当部分を示す。
図１は、本発明が適用されたパチンコ機の遊技盤の盤面構成例を示す図である。
図示するように、盤面１にはレール２が取り付けられており、このレール２の内側には、遊技領域３が形成されている。レール２は、図示しないハンドルの操作により発射された遊技球（図示せず）が盤面１の左側上部から遊技領域３内へ打ち込まれるように案内する。
【００１０】
遊技領域３には種々の遊技領域構成部品が設けられている。
すなわち、遊技領域３のほぼ中央には、特定遊技領域構成部品、ここでは任意の画像を表示する液晶表示器等からなる画像表示器４が配置されている。この画像表示器４は、遊技中に図柄等、遊技者に遊技上種々の演出効果を与える画像を表示する他、パチンコ機が稼働していない時にはそのパチンコ機の使用方法を説明したり、任意の宣伝画像を表示したりする等、様々な画像を表示できる。
この画像表示器４の周囲には、センタ役物５が配置されている。センタ役物５は、画像表示器４を囲む位置を装飾するが、主に遊技全体の流れの中で遊技球の入賞を容易にし得る機能を有し、また遊技を演出する機能を有する。
【００１１】
また遊技領域３には、センタ役物５の位置を基準として、下方及びその両側には始動入賞口６が、上方には上大入賞口７が、下方の始動入賞口６の直下には下大入賞口８が、各々設けられている。その他、いくつかの一般入賞口９が遊技領域３に設けられている。入賞口６〜９に入賞（入球）すると賞球が獲得される。なお７ａは、上大入賞口７を開放する羽根である。
上，下大入賞口７，８は、図１では閉じた状態を示しているが、開放時には、他の入賞口６，９よりも入賞が著しく容易な形態となるように、ここでは入賞開口が著しく大きくなるように構成されている。したがって遊技者は、上，下大入賞口７，８の開放時には一般入賞口９や始動入賞口６の入賞時よりも多くの賞球を獲得し得る。
更に、遊技領域３（センタ役物５内）には、後述する遊技球振分け機構が設けられた箇所に、後述する当り経路及び外れ経路への入口等が各々開口している（図１においては符号が省略されている）。
【００１２】
遊技領域３の左右側には、各々サイドランプ１０が設けられている。ゲート１１や風車１２も遊技領域３の適所に設けられている。
遊技領域３の最下部には、入賞しなかった遊技球を回収するアウト口１３が設けられている。
更に、上記各部品２，４〜１２やアウト口１３を避けた適宜箇所には、多数の遊技釘１４（一部のみ図示）が打ち込まれている。
なお、遊技領域３は透明ガラス板（図示せず）により覆われ、遊技球が遊技領域３から離脱することはない。
【００１３】
本発明による遊技球通路構造は、このような遊技領域３に設けられた回転演出機構（図１中、破線で囲んだ領域２１内に示す。）及び、これに連結する遊技球振分け機構（同じく破線で囲んだ領域２２内に示す。）に適用されている。
【００１４】
ここで、回転演出機構２１は、矢印アに示すように、その入口２１ａに到達した遊技球を、詳細を後述する回転体、本実施形態では正面に装飾が施された装飾回転体の回転に伴って遊技球振分け機構２２の上方に移送し、その上方入口２２ａに進入させる機構である。
この場合、遊技球は、遊技領域３の延出面（換言すれば盤面１）に交差する方向、つまり遊技機奥行き方向（遊技者から見て遠近方向）に移動しながら、遊技領域３の延出面に沿う方向、つまり遊技領域３の上下及び／又は左右方向に移動して、遊技球振分け機構２２の上方に移送される。図示例では、遊技球は遊技機奥側から手前側（遊技者側）に移動しながら、遊技領域３の下方向及び左右方向に移動して、遊技球振分け機構２２の上方に移送される。
【００１５】
また遊技球振分け機構２２は、上方入口２２ａに進入してきた遊技球を、その上方入口２２ａ進入時の、詳細を後述する回転振分け体の回転駆動状態に応じて特定の領域、ここではＶゾーンを通過（Ｖ入賞）させて賞球を獲得させ得る当り経路、又はＶゾーンを通過させることのない外れ経路（共に図示せず）のうちのいずれかに振分け導入させる機構である。
【００１６】
以下、図２〜図４を参照して上記回転演出機構２１及び遊技球振分け機構２２の具体例を説明する。
図示例では、回転演出機構２１及び遊技球振分け機構２２は１ユニット化されている。
図２〜図４は、１ユニット化された回転演出機構２１及び遊技球振分け機構２２（回転演出・遊技球振分け機構ユニットＵＴ）の一例を取り出し拡大して示す図で、図２は正面図、図３は斜視図、図４は分解斜視図である。なお、各図の拡大率は異にしている。
【００１７】
まず回転演出機構２１について説明する。
回転演出機構２１は、入口２１ａ，出口２１ｂ、第１，第２装飾回転体２３，２４及びその駆動装置（図示せず）、並びにこれら装飾回転体２３，２４及び駆動装置等を取り付ける第１，第２取付台２５，２６を備えて構成されている。
上記第１，第２装飾回転体２３，２４は、各々回転軸方向に交差する一端面（正面）をパチンコ機正面側に向けて、第１，第２取付台２５，２６に各別に回転自在に取り付けられ、上記駆動装置によって回転駆動される。第１，第２装飾回転体２３，２４の正面には所望の意匠、例えば平面的な模様やキャラクタが描かれ、あるいは浮彫り等による装飾等が施されている。
上記駆動装置はモータ及び歯車機構等によって構成されるが、２つの装飾回転体２３，２４に各別に設けてもよく、あるいは１つの駆動装置を２つの装飾回転体２３，２４に共用させてもよい。
本実施形態では、第２装飾回転体２４は、第１装飾回転体２３が２回転する間に１回転するように設定されている。
【００１８】
第１，第２装飾回転体２３，２４は、その回転により、上記第１，第２取付台２５，２６に形成されたリブ状の仕切り２７及び連絡口２８によって形成された遊技球通路３１の入口３１ａ側から出口３１ｂ側（遊技球振分け機構２２の上方入口２２ａ側）に向けて遊技球を送る。なお図示例では、第１装飾回転体２３は時計回りに回転し、第２装飾回転体２４は反時計回りに回転する。
上記第第１，第２装飾回転体２３，２４は、各々外周面に３つの遊技球保持部２９が等間隔に切欠き形成され、第１，第２装飾回転体２３，２４に向かって進入してきた遊技球を、最初に対向する遊技球保持部２９で保持して軸周り方向に移動させるように構成されている。そして、遊技球保持部２９に保持した遊技球を、同遊技球保持部２９が各々予め定められた回転角度に達したときにその遊技球保持部２９から離脱するように構成されている。
回転演出機構２１における遊技球通路（符号省略）は、回転演出機構２１の入口２１ａ（通路入口３１ａ）に到達した遊技球ＢＬを上述したような動きを伴わせて回転演出機構２１の出口２１ｂ、つまり上方入口２２ａに進入させるまでの通路であり、その詳細は後述する。
【００１９】
次に遊技球振分け機構２２について説明する
遊技球振分け機構２２は、その上方入口２２ａから進入してきた遊技球を、上記当り経路又は外れ経路（共に図示せず）のいずれかに振り分ける機構である。
遊技球振分け機構２２は、上方入口２２ａ、当り開口３３、外れ開口３４、回転振分け体３２及びその駆動装置（図示せず）、並びにこれら回転振分け体３２及び駆動装置等を取り付ける第３取付台３５とを備えて構成されている。
なお、当り開口３３、外れ開口３４は、回転振分け体３２の他端面（裏面）に近接対向する回転振分け体取付面３３に穿設されている。
【００２０】
上記回転振分け体３２は、回転軸方向に交差する一端面（正面）をパチンコ機正面側に向けて、第３取付台３５に回転自在に取り付けられ、上記駆動装置によって回転駆動される。回転振分け体３２の正面には、第１，第２装飾回転体２３，２４の場合と同様に所望の意匠が施されている。
上記駆動装置はモータ及び歯車機構等によって構成されるが、回転振分け体３２に独立して設けてもよく、あるいは上記２つの装飾回転体２３，２４に共用されている駆動装置を、この回転振分け体３２にも共用させるように構成してもよい。
なお本実施形態においては、回転振分け体３２の回転軸の図中左右方向の位置が、上方入口２２ａからの遊技球の自由落下方向（垂線）と重ならない位置に設定されている。図示例では、回転振分け体３２の回転軸の左右方向の位置を、上方入口２２ａの左右方向の位置に対して右側にずらした位置に設定されている。上方入口２２ａに遊技球が連なって待機した場合に、上方入口２２ａ及び回転振分け体３２間における、いわゆる球噛みの発生を防止するためである。
【００２１】
回転振分け体３２は、その回転により、上記第３取付台３５に形成されたリブ状の仕切り２７、上方入口２２ａ、当り開口３３、外れ開口３４によって形成された遊技球振分け機構２２における遊技球通路（符号省略）の入口から出口（上方入口２２ａから当り開口３３又は外れ開口３４）に向けて遊技球を送る。
回転振分け体３２は、外周面に２つの外れ球保持部３６と１つの当り球保持部３７とが等間隔に切欠き形成され、時計回り（図３中、矢印イ参照）に回転する。
【００２２】
このような遊技球振分け機構２２は、進入してきた遊技球を、回転振分け体３２の最初に対向する外れ球保持部３６又は当り球保持部３７で保持して時計回りに移動させるように構成されている。そして、外れ球保持部３６に保持した遊技球を、その外れ球保持部３６が外れ経路の入口（外れ開口３４）に対向した際にその外れ経路に導入させ、また、当り球保持部３７に保持した遊技球を、その当り球保持部３７が下方に向いたときに当り経路の入口（当り開口３３）内に導入させるように構成されている。
遊技球振分け機構２２における遊技球通路（符号省略）は、遊技球振分け機構２２の入口、つまり遊技球振分け機構２２への上方入口２２ａに到達した遊技球を、上述したような動きを伴わせて遊技球振分け機構２２の出口となる当り開口３３又は外れ開口３４に進入させるまでの通路であり、その詳細は後述する。
【００２３】
以上のように構成された回転演出機構２１及び遊技球振分け機構２２（回転演出・遊技球振分け機構ユニットＵＴ）において、遊技球通路構造は次のように構成されている。
すなわち、本実施形態において遊技球通路構造は、その入口３１ａ側から出口３１ｂまでの移動過程において、遊技領域３の延出面に交差する方向の移動と、同遊技領域３の延出面に沿う方向の移動とを含んで、遊技球を移動させる遊技球通路３１を備えてなる。
この遊技球通路３１は、遊技領域３の延出面に交差（図示例ではほぼ直交）する方向と、同遊技領域３の延出面に沿う方向の２種類の通路部が組み合わされて入口３１ａ及び出口３１ｂ相互間が連結され、この入口３１ａから出口３１ｂに向かって遊技球が移動されるように構成されている。以下、遊技領域３の延出面に交差する方向の通路部をＺ軸方向通路部、略してＺ通路部と称し、同じく沿う方向の通路部をＸ，Ｙ軸方向通路部、略してＸＹ通路部と称する。
【００２４】
このような遊技球通路３１について、図４を参照して更に詳しく説明する。
図４に示す例において、遊技球通路３１は、第１〜第３取付台２５，２６，３５に形成された仕切り２７、連絡口２８、上方入口２２ａ、当り開口３３及び外れ開口３４によって形成され、第１ＸＹ通路部４１、第１Ｚ通路部４２、第２ＸＹ通路部４３、第２Ｚ通路部４４、第３ＸＹ通路部４５、第３Ｚ通路部４６及び第４Ｚ通路部４７を備えて構成されている。
これら通路部４１〜４７のうち、第１ＸＹ通路部４１、第１Ｚ通路部４２、第２ＸＹ通路部４３及び第２Ｚ通路部４４は、回転演出機構２１における遊技球通路（符号省略）を構成する。また、第３ＸＹ通路部４５、第３Ｚ通路部４６及び第４Ｚ通路部４７は、遊技球振分け機構２２における遊技球通路（符号省略）を構成する。
本実施形態における遊技球通路３１は、回転演出機構２１における遊技球通路（符号省略）及び遊技球振分け機構２２における遊技球通路（符号省略）を連結してなる遊技球通路である。
【００２５】
以下、各通路部４１〜４７について詳述する。
まず第１ＸＹ通路部４１は、遊技球通路３１の入口３１ａ（回転演出機構２１の入口２１ａ）から図中右方向に向かい、第１装飾回転体２３の回転軸回りを時計回りにほぼ半周して同第１装飾回転体２３を抜け、その終端に至る通路部である。
第１Ｚ通路部４２は、第１ＸＹ通路部４１の終端から遊技機手前側に向かい、連絡口２８を通って終端（第２装飾回転体２４）に至る通路部である。
第２ＸＹ通路部４３は、第１Ｚ通路部４２の終端から第２装飾回転体２４の回転軸回りを反時計回りにほぼ１／４周して同第２装飾回転体２４を抜け、図中左方に向かってその終端に至る通路部である。
【００２６】
第２Ｚ通路部４４は、第２ＸＹ通路部４３の終端から遊技機手前側に向かい、上方入口２２ａを通って終端（遊技球振分け機構の回転振分け体３２）に至る通路部である。
第３ＸＹ通路部４５は、第２Ｚ通路部４４の終端から回転振分け体３２の回転軸回りを時計回りにほぼ１／４周して外れ経路に通ずる外れ開口３４に対向し、あるいはほぼ半周して当り経路に通ずる当り開口３３に対向する通路部である。
第３Ｚ通路部４６は、第３ＸＹ通路部４５の外れ開口３４に対向する位置から外れ開口３４を通って外れ経路に向かう通路部である。
第４Ｚ通路部４７は、第３ＸＹ通路部４５の当り開口３３に対向する位置から当り開口３３を通って当り経路３６に向かう通路部である。
【００２７】
なお、第１ＸＹ通路部４１中の第１装飾回転体２３部分を除いた箇所と、第２ＸＹ通路部４３中の第２装飾回転体２４部分を除いた箇所は、各々遊技球進行方向に向かって下り勾配に形成されている。したがって遊技球は、これらの箇所において定められた方向に自重で転動移動する。
また、第１，第２Ｚ通路部４２，４４は、遊技機奥側から手前側に向けて下り勾配に形成されている。したがって、この第１，第２Ｚ通路部４２，４４における遊技球の移動は、遊技機奥側から手前側（遊技者側）への移動となる。
第４Ｚ通路部４７は、第１，第２Ｚ通路部４２，４４とは逆方向の下り勾配が形成され、ここでの遊技球の移動は、遊技機手前側（遊技者側）から奥側への移動となる。
外れ球保持部３６は、その奥行き方向の内周面がパチンコ機奥側に向けてやや広げられているので、そこからの遊技球は遊技機手前側（遊技者側）から奥側へ自重で転動する。したがって、第３Ｚ通路部４６における遊技球の移動も、遊技機手前側（遊技者側）から奥側への移動となる。
【００２８】
上記第１装飾回転体２３、第２装飾回転体２４及び回転振分け体３２は、以上述べた遊技球通路３１の構成を可能とするため、図４から分かるように、遊技機奥側から手前側（遊技者側）に向かって第１装飾回転体２３、第２装飾回転体２４及び回転振分け体３２の順序で位置をずらせて配置されている。
【００２９】
以上の説明から分かるように、本実施形態における遊技球通路３１は、遊技機奥行き方向（遊技者から見て遠近方向）と遊技領域３の上下及び／又は左右方向の２種類の通路部が組み合わされて入口３１ａ及び出口３１ｂ相互間が連結され、遊技球がこれら両方向の移動を含んで入口３１ａから出口３１ｂに向かって移動される構成となっている。
【００３０】
これにより遊技球は、変化の富んだ動きをしながらＶゾーンに至る当り開口３３に進入し得る回転振分け体３２まで導かれる。特に、奥側から手前側に順次近づいてくる（遊技者に対して迫りくる）という遊技球移動演出が行える。更に、図示例によれば、外れ開口３４や当り開口３３へのＺ通路部（第３，第４Ｚ通路部４６，４７）おける移動のみが手前側から奥側になっている。したがって、遊技球は奥側から手前側に順次近づいてきて、最後は奥側に移動するという変化に富んだ移動演出が行える。
この間、正面に所望の意匠が施された第１，第２装飾回転体２４及び回転振分け体３２が回転しているので、回転体回転演出も行え、回転演出機構２１及び遊技球振分け機構２２において、変化に富み面白みが倍加された遊技球移動・回転体回転演出が行える。
【００３１】
次に、上述実施の形態の動作について図１、図２及び図４を参照して説明する。
図１において、遊技球（図示せず）が遊技領域３内に打ち込まれ、３つある始動入賞口６のいずれかに入賞すると大当り抽選が行われ、この大当り抽選に当ると上大入賞口７が開放する。これにより遊技球が上大入賞口７に入賞すると、その遊技球は図中左右のいずれかの方向に振分け移動される。
いま遊技球が右方向に移動した場合には、予め定められた条件を満たすことによって、概ね矢印アに示す経路で通路入口３１ａに到達する。
【００３２】
通路入口３１ａに到達した遊技球ＢＬは、第１ＸＹ通路部４１の導入部分を自重で転動走行して第１装飾回転体２３に至り、第１装飾回転体２３の最初に対向した遊技球保持部２９内に落下、保持される。そして、時計回りにほぼ半周してその遊技球保持部２９から離脱し、第１ＸＹ通路部４１の終端に至る。第１装飾回転体２３の遊技球保持部２９内への遊技球の落下、保持は、第１装飾回転体２３外周の切欠き開口（切欠きの正面）から行われる。
第１ＸＹ通路部４１の終端、つまり第１Ｚ通路部４２の入口に至った遊技球は、その位置から遊技機手前側に向かい、連絡口２８を通って第１Ｚ通路部４２の終端に至る。
【００３３】
第１Ｚ通路部４２の終端に至った遊技球は、第２装飾回転体２４の最初に対向した遊技球保持部２９内に落下、保持される。そして、反時計回りにほぼ１／４周して遊技球保持部２９から離脱し、第２ＸＹ通路部４３の終端に至る。第２装飾回転体２４の遊技球保持部２９内への遊技球の落下、保持は、第２装飾回転体２４の切欠きの側方から行われる。
第２ＸＹ通路部４３の終端、つまり第２Ｚ通路部４４の入口に至った遊技球は、その位置から遊技機手前側に向かい、遊技球振分け機構２２の上方入口２２ａを通って第２Ｚ通路部４４の終端に至る。
【００３４】
第２Ｚ通路部４４の終端（遊技球振分け機構の回転振分け体３２）に至った遊技球は、回転振分け体３２の最初に対向した外れ球保持部３６又は当り球保持部３７内に落下、保持される。
遊技球が外れ球保持部３６内に落下、保持された場合には、時計回りにほぼ１／４周して外れ開口３４に対向すると、その外れ球保持部３６から離脱し、外れ開口３４を通って外れ経路に導入される。遊技球が当り球保持部３７内に落下、保持された場合には、ほぼ半周して当り経路に通ずる当り開口３３に対向すると、その当り球保持部３７から離脱し、当り開口３３を通って当り経路に導入される。回転振分け体３２の外れ球保持部３６又は当り球保持部３７内への遊技球の落下、保持は、回転振分け体３２の切欠きの側方から行われる。
【００３５】
遊技球が当り経路に導入されるとＶゾーンを通過する。遊技球２２がＶゾーンを通過すると、下大入賞口８の所定の開放動作を何回（ラウンド）繰り返すかを決定するラウンド抽選が行われる。その後、下大入賞口８は、ラウンド抽選の結果に従った回数分、開放動作を繰り返すもので、遊技者は一般入賞口９や始動入賞口６の入賞時よりも多くの賞球を獲得可能である。
ラウンド抽選を、上記大当り抽選と同時に行うようにしてもよい。この場合、ラウンド抽選結果は一時記憶され、遊技球２２がＶゾーンを通過した場合に有効とされて読み出され、下大入賞口８は、その読み出されたラウンド抽選結果に従った回数分、開放動作を繰り返す。
【００３６】
ラウンド回数（ラウンド抽選結果に従った大入賞口開放動作回数）に、上記上大入賞口７の開放動作１回分を含めるか否かは適宜定められる。
遊技球が外れ経路に導入されると、Ｖゾーンを通過することはなく、下大入賞口８は開放動作しない。
なお、当り経路３６内に導入された遊技球も、外れ経路内に導入された遊技球も、最終的には盤面１の裏面側で共通に回収される。
【００３７】
以上述べたように本実施形態では、遊技球通路３１を、遊技領域３の延出面に交差する方向（遊技機奥行き方向：遊技者から見て遠近方向）と、同遊技領域３の延出面に沿う方向（遊技領域３の上下及び／又は左右方向）との２種類の通路部を組み合わせて入口及び出口相互間を連結して構成した。つまり遊技球を、上記交差する方向及び沿う方向の移動を含んで入口から出口に向かって移動する構成とした。したがって本実施形態によれば、次のような効果を発揮できる。
すなわち遊技球は、変化の富んだ動き（３次元空間における動き回り）をしながらＶゾーンに至る当り開口３３に進入し得る回転振分け体３２まで導かれる。特に、奥側から手前側に順次近づいてきて、最後は奥側に移動するという変化に富んだ移動演出が行える。
この間、正面に所望の意匠が施された第１，第２装飾回転体２４及び回転振分け体３２が回転しているので、これらによる回転演出も行え、回転演出機構２１及び遊技球振分け機構２２において、変化に富み、面白みが倍加された遊技球移動・回転体回転演出が行える。
【図面の簡単な説明】
【００３８】
【図１】本発明が適用されたパチンコ機の遊技盤の盤面構成例を示す図である。
【図２】図１中の要部を取り出し拡大して示す正面図である。
【図３】同じく斜視図である。
【図４】同じく分解斜視図である。
【符号の説明】
【００３９】
３：遊技領域、４：画像表示器（特定遊技領域構成部品）、５：センタ役物、６：始動入賞口、７：上大入賞口、８：下大入賞口、２１：回転演出機構、２２：遊技球振分け機構、２２ａ：上方入口、２３，２４：装飾回転体、２５，２６，３５：取付台、２７：仕切り、２８：連絡口、２９：遊技球保持部、３１：遊技球通路、３１ａ：通路入口、３１ｂ：通路出口、３２：回転振分け体、３３：当り開口、３４：外れ開口、３６：外れ球保持部、３７：当り球保持部、４１，４３，４５：ＸＹ通路部（Ｘ，Ｙ軸方向通路部）、４２，４４，４６，４７：Ｚ通路部（Ｚ軸方向通路部）、ＢＬ：遊技球。
【図１】
2008237541.tif 000003
【図２】
2008237541.tif 000004
【図３】
2008237541.tif 000005
【図４】
2008237541.tif 000006